(57)【特許請求の範囲】
【請求項１】
被掃除面上の塵埃を吸引する吸込具と、前記吸込具に回動自在に設けられ、塵埃を捕集する集塵部を有する縦長の本体部と、開口部から塵埃を吸引するハンドル吸気通路付のハンドル部と、前記集塵部と連通する接続パイプと、前記接続パイプから分岐し、前記吸込具と連通する吸気通路及び前記ハンドル部と連通する可撓性ホースを備え、前記ハンドル部を、前記本体部の縦長方向に着脱自在に配置するとともに、持ち手部を有する把手側パイプと、被掃除面上の塵埃を吸引する開口部を有する先端側パイプとで構成し、前記把手側パイプ内に前記先端側パイプを摺動自在に収納或いは、前記先端側パイプに前記把手側パイプ内を摺動自在に収納して伸縮自在に構成することにより、前記先端パイプを前記本体部に保持したままでハンドル部の伸縮が可能とした電気掃除機。
【発明の詳細な説明】
【０００１】
【発明の属する技術分野】
本発明は、電気掃除機の全体構造に関するものであり、特に小型掃除機のハンドル部の使用性向上に関するものである。
【０００２】
【従来の技術】
従来、この主の電気掃除機として、図１２に示されるようなものがあった。
【０００３】
図１２においては、１は本体部、３は、本体部１に内蔵された電動送風機（図示せず）の吸引側に連通する可撓性ホースで、２は、前記可撓性ホース３に、ホース接続部５９を介して連通する通路（図示せず）を有するハンドル部で、本体部１に、着脱自在に設けられている。さらに上方向にハンドル部２を引き抜くことで、本体部１からハンドル部２が取り外し可能となり、取り外したハンドル部２の先端から塵埃を吸引可能としたものである。１０１は、本体部１にアーム部１０３を介して接続される吸込具である（例えば、特許文献１参照）。
【０００４】
【特許文献１】
特開平１１−４７０４２号公報
【０００５】
【発明が解決しようとする課題】
しかしながら、前記従来の構成では、ハンドル部２を本体部１から取り外してもハンドル部２の長さが不足しがちであり、ハンドル部２の長さを、腰をかがめずに被掃除面を掃除するだけの長さにした場合、本体部１にそのハンドル部２を付けた時、電気掃除機全体高さが高くなってしまい、押し入れの下段に到底電気掃除機本体を収納することが不可能となる。
【０００６】
またハンドル部２を本体部１より取り外す際には、ハンドル部２を本体部１から上方に引き抜かなければならず、ハンドル部２が長くなるほどハンドル部２の取り外しが難しくなるという課題を有していた。
【０００７】
本発明は、前記従来の課題を解決するもので、天井あるいは家具の隙間の奥など、普段掃除しにくい場所の掃除を容易にし、より使い勝手のよい電気掃除機を提供することを目的とする。
【０００８】
【課題を解決するための手段】
前記従来の課題を解決するために本発明は、被掃除面上の塵埃を吸引する吸込具と、前記吸込具に回動自在に設けられ、塵埃を捕集する集塵部を有する縦長の本体部と、開口部から塵埃を吸引するハンドル吸気通路付のハンドル部と、前記集塵部と連通する接続パイプと、前記接続パイプから分岐し、前記吸込具と連通する吸気通路及び前記ハンドル部と連通する可撓性ホースを備え、前記ハンドル部を、前記本体部の縦長方向に着脱自在に配置するとともに、持ち手部を有する把手側パイプと、被掃除面上の塵埃を吸引する開口部を有する先端側パイプとで構成し、前記把手側パイプ内に前記先端側パイプを摺動自在に収納或いは、前記先端側パイプに前記把手側パイプ内を摺動自在に収納して伸縮自在に構成することにより、前記先端パイプを前記本体部に保持したままでハンドル部の伸縮が可能としたもので、被掃除面を掃除する際、ハンドル部の長さを調整して使用できるので、腰をかがめることなく吸引することができ、また、ハンドル部に伸縮機構を設けたもので、ハンドル部の長さを充分確保しながら、必要な時には、より長いハンドル部とすることが可能となり、家具間の隙間の奥や天井など、普段掃除のできない部分も掃除することができるようになる。
【０００９】
【発明の実施の形態】
本発明の請求項１に記載の発明は、被掃除面上の塵埃を吸引する吸込具と、前記吸込具に回動自在に設けられ、塵埃を捕集する集塵部を有する縦長の本体部と、開口部から塵埃を吸引するハンドル吸気通路付のハンドル部と、前記集塵部と連通する接続パイプと、前記接続パイプから分岐し、前記吸込具と連通する吸気通路及び前記ハンドル部と連通する可撓性ホースを備え、前記ハンドル部を、前記本体部の縦長方向に着脱自在に配置するとともに、持ち手部を有する把手側パイプと、被掃除面上の塵埃を吸引する開口部を有する先端側パイプとで構成し、前記把手側パイプ内に前記先端側パイプを摺動自在に収納或いは、前記先端側パイプに前記把手側パイプ内を摺動自在に収納して伸縮自在に構成することにより、前記先端パイプを前記本体部に保持したままでハンドル部の伸縮が可能としたたもので、被掃除面を掃除する際、ハンドル部の長さを調整して使用できるので、腰をかがめることなく吸引することができ、また、ハンドル部に伸縮機構を設けたもので、ハンドル部の長さを充分確保しながら、必要な時には、より長いハンドル部とすることが可能となり、家具間の隙間の奥や天井など、普段掃除のできない部分も掃除することができるようになる。
【００１０】
【実施例】
以下本発明の実施例について、図面を参照しながら説明する。
【００１１】
（実施例１）
以下、図１乃至７を用いて本発明の第１の実施例を説明する。
【００１２】
図１は、本実施例における電気掃除機の内部構成図を示すもので、図２〜７は、各部分の詳細を示している。
【００１３】
図において、１は本体部、２はハンドル部、３は可撓性ホースであり、本体部１とハンドル部２は可撓性ホース３で接続されており、ハンドル部２は本体部１と着脱可能である。
【００１４】
本体部１の詳細を以下に説明する。縦長の本体部１内部の下方には、吸引風を発する電動送風機４が配置され、その上方には集塵部５、さらにその上方にコードリール６が横向きに配置されている。集塵部５は本体部１より着脱自在に構成され、集塵部尾錠７を操作することでロック（図示せず）が解除され、集塵部５は本体部１から取り外すことが可能となる。集塵部５に設けられた集塵部開口部８と本体部１を連通する接続パイプ９が本体部１に設けられ、接続パイプ９と集塵部開口部８の間にウレタンゴムやエラストマーなどの軟質体が設けられており、内部を通過する吸気風の漏れを防いでいる。
【００１５】
接続パイプ９は内部に分岐通路（図示せず）を持ち、一方は本体部１の下部に接続された吸込具１０１へと向かう屈曲自在な吸気通路１０と連通され、他方は本体部１の上部に設けられた可撓性ホース３へと連通している。この可撓性ホース３は伸縮自在であり、内部の芯線の弾性により通常状態では短くなっているが、引張ることで通常の約３倍まで伸びるものである。集塵部５と電動送風機４の間の側方で、吸気通路１０が本体部１前方から後方へと曲がり、吸込具１０１が接続された吸込具取付部１１へと繋がっている。また、縦長の本体部１は、吸込具１０１に対して、前後方向に回動自在に構成されている。
【００１６】
吸気通路１０が、本体部１の前方から後方へと曲がる部分の周辺には本体フタ１２が設けられており、本体フタ１２を開けることで吸気通路１０内部に詰まった塵埃を取り除くことが可能となる。
【００１７】
本体部１内部のコードリール６上部には、可撓性ホース３の端部の３０ｍｍ以上が本体内部に埋没する形で取り付けられ、さらに電源スイッチ１３が設けられている。本体部１前面の、集塵部５下端近傍にはハンドル部２の被掃除面上の塵埃を吸引する開口部である先端開口部５１を挿入し、かつ保持するハンドル先端保持部１４があり、本体部１の上端にはハンドル部２を固定するハンドルストッパー１５があり、本体部１内部からスライド移動して滑り出して、ハンドル部２を前方から抱え込む形で保持する。
【００１８】
本体部１後方の、ハンドルストッパー１５の取りつけ位置より低い位置に、断面略円弧状のハンドル係止部１６が設けられている。このハンドル係止部１６は、図１で、矢印で示されるように、使用しないときには、上に起こして、本体部１側に収納しておくことができるようになっている。
【００１９】
ハンドル部２は、持ち手５２を有する把手側パイプ５３と、把手側パイプ５３の外側に摺動自在とした先端側パイプ５４を有し、この先端側パイプ５４の先端には先細り形状とした被掃除面の塵埃を吸引する先端開口部５１が形成され、ハンドル部２内部にはハンドル吸気通路６２が構成されている。前記ハンドル部２は、本体部１の縦長方向に配置されており、ハンドル尾錠５５を押すことで把手側パイプ５３と先端側パイプ５４の間のロックが外れ、ハンドル部２を伸縮させることが可能である。先端側パイプ５４には、ハンドル凸部５６が構成され、ハンドルストッパー１５に当接することで、ハンドル部２が本体
部１から抜け出てしまったり、回転してしまったりするのを防止している。
【００２０】
把手側パイプ５３には、可撓性ホース３を接続するホース接続部５９が構成されており、可撓性ホース３を回動自在かつ着脱自在としている。さらに可撓性ホース３の回動は１８０°毎にクリック感を設けてある。先端開口部５１には、先端開口部５１の先細り形状の上からアタッチメント５７を被せ、嵌合させることで取付可能である。
【００２１】
可撓性ホース３の中間には、止めリング６０を設け、先端側パイプ５４上部には、止めリング６０を係止するホース止め部６１が構成されている。
【００２２】
吸込具１０１は本体部１下部に着脱自在に取り付けられており、被掃除面上に存在する塵埃を吸引する開口部１０２を底面に有している。吸込具１０１と本体部１を接続する部材として、吸込具１０１にはアーム部１０３が設けられており、アーム部１０３の内部には開口部１０２と本体部１の吸気通路１０を連通させるため、内部に吸込具吸気通路１０４があり、さらに本体部１からの排気風を吸込具１０１へと循環させる吸込具排気通路１０５が構成されている。吸込具１０１内部の、開口部１０２近傍には回転ブラシ１０６が設けられており、塵埃とともに吸引される外気の風力によって回転する構成となっている。
【００２３】
以上のように構成された電気掃除機について、以下にその動作、作用を説明する。
【００２４】
まず、本体部１からハンドル部２を着脱自在とし、ハンドル部２を伸縮自在としたことにより、本体部からハンドル部２を取り外しハンドル部２を伸ばした状態で使用することが可能となり、腰をかがめることなくハンドル部２で被掃除面や隙間の塵埃を吸引することが可能となる。
【００２５】
また、本体部１からのハンドル部２取り外し方向を本体前方としたことで、本体部１からハンドル部２が取り外しやすくなり、塵埃に気が付いた時にさっとハンドル部２を取り外して塵埃を吸引することが可能となる。
【００２６】
そして、ハンドル部２の伸縮機構が１カ所のみであるため、コスト的に安価となる。
【００２７】
また、先端側パイプ５４の内側に把手側パイプ５３が摺動し収納されることで、先端側パイプ５４を本体部１に保持したままでのハンドル部２の伸縮が可能となり、高さの低い場所でも本体高さが低くなることで収納可能とすることができる。
【００２８】
そして、先端開口部５１周辺を先細り形状としたことにより、ハンドル部２を本体部１から外して、そのまま窓枠の溝などの掃除が可能となる。
【００２９】
また、先端開口部５１にアタッチメント５７を取り付け可能とし、先端開口部５１がアタッチメント５７の内側に入り込む構成としたことにより、アタッチメント５７を取り付けることで通路面積を狭くすることがなくなるため十分な風量を確保したままで様々なアタッチメント５７を取り付けて掃除することが可能となり、吸引性能の高い電気掃除機とすることができる。
【００３０】
また、ホース接続部５９は可撓性ホース３を着脱自在かつ回動自在で１８０度毎に設定角度で回動が規制又は固定されるクリック構成を設けると、塵埃が詰まった場合でもハンドル部２から可撓性ホース３を取り外して塵埃を容易に除去可能な上、可撓性ホース３がねじれた場合でもこのねじれを解除可能で、可撓性ホース３の弾性によってハンドル部２が不意な方向へと振られることを防止することが可能となる。
【００３１】
また、集塵部５の前方にハンドル部２を構成したことにより、重心が後方に移動することによる通常使用時に持ち手５２にかかる重量を減らすとが可能となり、また本体部１を被掃除面に水平に倒した際にも持ち手５２が被掃除面にこすれることも防止することが可能であり、操作が軽く、テーブルやベッドの下などの低い場所にでも本体部１を進入させることで奥まで掃除が可能となる。
【００３２】
そして、ハンドル係止部１６を設けて、本体部１から取り外したハンドル部２をそこに取り付けることで、ハンドル部２をハンドルストッパー１５に取り付けたときよりも低い位置に取り付けられ、ハンドル部２を縮めただけの時よりも本体全体の高さをさらに低くすることが可能であり、より低いところにでも収納が可能となる。
【００３３】
また、ハンドル係止部１６をハンドル部２の外周を抱え込む断面略円弧状の単一部品で形成したことにより、別部品として尾錠などを構成する必要が無く、低コストで取り外しの容易なハンドル係止部１６とすることができる。
【００３４】
そして、ハンドル係止部１６を、ハンドル部２を保持しない時には本体部１側に収納可能としたことにより、通常使用時にハンドル係止部１６が被掃除面あるいは使用者の身体に引っかかることが無く、使い勝手の良い電気掃除機を提供することができる。なお、ハンドル係止部１６を、本体部１に出没自在に設け、ハンドル部２を保持しない時には、本体部１内に、没しておくようにしても良い。
【００３５】
また、止めリング６０をホース止め部６１に係止することで、通常使用時に可撓性ホース３が下方に垂れ下がり他のものに引っかかったり使用者の身体に触れたりするのを防ぐことが可能となり、使い勝手の良い電気掃除機とすることができる。
【００３６】
そして、ハンドルストッパー１５はハンドル部２の本体部１側と逆側を抱え込む形でハンドル部２を保持し、ハンドルストッパー１５でハンドル部２が上方向に抜けないよう固定するためにハンドル部２に、引っかかりとなるハンドル凸部５６を設けたことにより、ハンドル部２が通常使用時に、不用意に本体部１から外れるのを防止することが可能となる。
【００３７】
また、電動送風機４の上方にハンドル部２を配置し、ハンドル部２の先端において電動送風機４の最外径よりも内側にハンドル部２を配置することにより、本体部１にハンドル部２を取り付けた状態での本体全体の前後幅を小さく抑えることが可能となり、本体部１を倒して掃除する際、より低いテーブル等の下に本体部１が進入可能となるため掃除可能な範囲を広げることができる。
【００３８】
そして、把手側パイプ５３と先端側パイプ５４が径方向に重なる部分にハンドルストッパー１５を設け、把手側パイプ５３と先端側パイプ５４とハンドルストッパー１５が径方向に重なる部分が存在するよう構成したことにより、応力のもっともかかる部分の強度が増加し、ハンドル部２の強度を十分なものにすることが可能となる。
【００３９】
また、可撓性ホース３を伸縮自在とし、本体部１内に可撓性ホース３の端部伸縮部が３０ｍｍ以上保持される構成にすることにより、本体部１内部の空間を可撓性ホース３の収納部として使うことが可能となり、また外観への可撓性ホース３の露出を減らしたまま可撓性ホース３の伸び量を増加せることが可能であり、より高い場所や奥まった場所の掃除が可能となる。
【００４０】
なお、本実施例では、ハンドル部２が伸びた状態を通常使用状態としているが、逆に、
ハンドル部２が縮んだ状態を通常使用状態とし、ハンドル部２を取り外してさらにハンドル部２を伸ばすことができる構成をとることも可能である。
【００４１】
（実施例２）
次に、本発明の第２の実施例を図８を用いて説明する。図８は、３段に伸張可能なハンドル部２の構成を示すものである。
【００４２】
ハンドル部２は把手側パイプ５３と先端側パイプ５４の中間に中間パイプ５８が設けられており、それぞれ別個のロック用の部品を用いずに、テーパー嵌合で固定される。
【００４３】
以上のように、ハンドル部２の伸縮機構を複数構成することにより、通常時では伸縮機構が１ヶ所の場合と２ヶ所の場合、縮小時のハンドル部２の全長が同一だとしても、必要な時には、より長いハンドル部２とすることが可能となり、家具間の隙間の奥や天井など、普段掃除のできない部分を掃除可能とすることができる。
【００４４】
（実施例３）
次に、本発明の第３の実施例を、図９を用いて説明する。図９は、本実施例のハンドル部を示している。なお、上記実施例と同一部分については、同一符号、名称を用いて、その説明を省略する。
【００４５】
把手側パイプ５３の内部に、先端側パイプ５４が摺動し収納される構成となっている。これによれば、先端側パイプ５４を把手側パイプ５３よりも細くすることが可能であり、よってハンドル部２の先端開口部５１周辺をさらに細くすることが可能となり、より狭い部分でも掃除を可能とすることができる。
【００４６】
（実施例４）
次に、本発明の第４の実施例を、図１０を用いて説明する。なお、上記実施例と同一部分については、同一符号、名称を用いて、その説明を省略する。
【００４７】
本体部１の後方上部に取っ手１７が回動自在に設けられており、その取っ手１７を上方に持ち上げて上に向けることが可能である。これによれば、取っ手１７の位置を高くしながら、収納時は取っ手１７をたたんで本体全体の高さを低くすることが可能であるため、ハンドル部２を本体部１から取り外して使用する際に、一方の手でハンドル部２を、他方の手で取っ手１７を持ち本体部１を保持することで、腰をかがめずに、本体部１の転倒を防ぎながら掃除をすることが可能となり、低い場所への収納も可能となる。なお、取っ手１７を、本体部１に出没自在に設け、使用しない時には、本体部１内に、没しておくようにしても良い。
【００４８】
（実施例５）
次に、本発明の第５の実施例を、図１１を用いて説明する。なお、上記実施例と同一部分については、同一符号、名称を用いて、その説明を省略する。
【００４９】
図において、持ち手５２を手でつかんだままで指が届く位置に、電動送風機４を制御する電源スイッチ１３を設けている。この電源スイッチ１３は、可撓性ホース３に内蔵された導線（図示せず）を介して本体部１内の電源回路（図示せず）と電気的に接続されている。上記構成により、電源スイッチ１３を操作することで電動送風機４を制御することが可能になる。なお、可撓性ホース３の内部に導線を通さずに、電波あるいは赤外線にて電動送風機４を制御するようにしても良い。
【００５０】
【発明の効果】
以上のように、本発明によれば、天井あるいは家具の隙間の奥など、普段届かない部分の清掃が可能となる。また、腰をかがめずに掃除が可能となるため、使用していて使いやすい、疲れない電気掃除機を提供することができる。
【図面の簡単な説明】
【図１】  本発明の第１の実施例を示す電気掃除機の断面図
【図２】  同電気掃除機の側面図
【図３】  同電気掃除機のハンドル部の側面図
【図４】  同電気掃除機のハンドル部の側面図
【図５】  同電気掃除機のハンドル部の側面図
【図６】  （ａ）同電気掃除機のハンドルストッパー部の断面図
（ｂ）同ハンドルストッパー部の側面図
【図７】  同電気掃除機の収納状態を示す全体側面図
【図８】  本発明の第２の実施例を示す電気掃除機のハンドル部の断面図
【図９】  本発明の第３の実施例を示す電気掃除機のハンドル部の断面図
【図１０】  本発明の第４の実施例を示す電気掃除機の全体側面図
【図１１】  本発明の第５の実施例を示す電気掃除機のハンドル部の側面図
【図１２】  従来の電気掃除機の全体側面図
【符号の説明】
１    本体部
２    ハンドル部
３    可撓性ホース
４    電動送風機
５    集塵部
１０  吸気通路
１３  電源スイッチ
１４  ハンドル先端保持部
１５  ハンドルストッパー
１６  ハンドル係止部
１７  取っ手
５１  先端開口部
５２  持ち手
５３  把手側パイプ
５４  先端側パイプ
５６  ハンドル凸部
５７  アタッチメント
５９  ホース接続部
６１  ホース止め部
６２  ハンドル吸気通路
【図１】
0004325282.tif 000002
【図２】
0004325282.tif 000003
【図３】
0004325282.tif 000004
【図４】
0004325282.tif 000005
【図５】
0004325282.tif 000006
【図６】
0004325282.tif 000007
【図７】
0004325282.tif 000008
【図８】
0004325282.tif 000009
【図９】
0004325282.tif 000010
【図１０】
0004325282.tif 000011
【図１１】
0004325282.tif 000012
【図１２】
0004325282.tif 000013